(57)【要約】【課題】保守点検が容易で、しかも遊技機島の高さを低くするとともに、部品点数が少なく、コスト的に有利な水平搬送装置を提供する。【解決手段】列設した遊技機に補給シュートを介して遊技媒体を補給する水平搬送装置は、遊技機上に架設された補給樋と、補給樋内の長手方向に並設された複数の回転ディスクと、該回転ディスクの駆動装置を備え、遊技機に補給すべき遊技媒体を回転ディスクの回転力により搬送するようにした。【選択図】    図１
2004275670.tif 000002
【特許請求の範囲】
【請求項１】
列設した遊技機に補給シュートを介して遊技媒体を補給する水平搬送装置であって、
前記水平搬送装置は、前記遊技機上に架設された補給樋と、
前記補給樋内の長手方向に並設された複数の回転ディスクと、
該回転ディスクの駆動装置を備え、
前記遊技機に補給すべき遊技媒体を回転ディスクの回転力により搬送するようにしたことを特徴とする、水平搬送装置。
【発明の詳細な説明】
【０００１】
【発明の属する技術分野】
本発明は、遊技機島にて用いられ、その遊技機島を構成する遊技機に遊技媒体を搬送する水平搬送装置に関する。
【０００２】
【従来の技術】
従来、一般的には、遊技機島を構成する遊技機に遊技媒体を搬送するには、補給経路を傾斜状に形成し、その傾斜を利用し、遊技媒体を各々の遊技機に供給していた。しかしながら、このような構成の補給経路を備えた遊技機島では、遊技機島の上部が高く且つ大きくなり、その傾向は補給経路が長くなるほど顕著になる。このため、遊戯島台が防犯カメラの死角を産み、防犯上問題となる場合があった。また、遊技場内の照明が必要以上多くなる等、遊技場の内装設備等の設計自由度を阻害する恐れがあった。
このため、それらの問題点を解決するために、特許第２５１８４９０号（特許文献１）のような構成が開示されている。この構成は、固定経路部を流下してきた玉を駆動モータによって回転駆動される駆動ローラと従動ローラとの間に掛け渡される水平搬送ベルトによって搬送するものであった。
【０００３】
この出願の発明に関連する先行技術文献としては次のものがある。
【特許文献１】
特許第２５１８４９０号（特開平６−３９１３６）
【０００４】
【発明が解決しようとする課題】
しかしながら、上記した従来の水平搬送ベルト２１（特許文献１中符号）によるパチンコ玉の搬送構造では、遊技機島の上部が高く且つ大きくなる、遊戯島台が防犯カメラの死角となる、遊技場の内装設備等の設計自由度を阻害する等の問題点は解消されるが、水平搬送ベルト２１（特許文献１中符号）に不都合が生じた場合等、ベルト自体を停止して修理する必要があり、装置の保守点検が困難であるばかりか、ベルトを張設する部品であるテンションローラ２４（特許文献１中符号）やベルト支持部材２５（特許文献１中符号）が必要となり、部品点数が増加し、コスト高となる。更に、水平搬送ベルト２１（特許文献１中符号）は、駆動ローラ２２（特許文献１中符号）と従動ローラ２３（特許文献１中符号）との間に無端状に掛け渡されている。このためパチンコ玉の搬送は、常時、水平搬送ベルト２１（特許文献１中符号）の一面で行われるが、装置としては、使用されていない裏側の部分のスペースまでを確保する必要があり、遊技機島の上部の高さを低くするには限度があった。
【０００５】
本発明は、上記の問題を解決するためになされたものであり、その目的は、保守点検が容易で、しかも遊技機島の高さを低くするとともに、部品点数が少なく、コスト的に有利な水平搬送装置を提供するものである。
【０００６】
【課題を解決するための手段】
上記課題を解決するため、本発明においては、列設した遊技機に補給シュートを介して遊技媒体を補給する水平搬送装置であって、水平搬送装置は、遊技機上に架設された補給樋と、補給樋内の長手方向に並設された複数の回転ディスクと、該回転ディスクの駆動装置を備え、遊技機に補給すべき遊技媒体を回転ディスクの回転力により搬送するようにしたことを特徴とする。
【０００７】
補給タンク７０から補給樋１０内に並設された複数の回転ディスク２０ａ，２０ｂ，２０ｃ，２０ｄ，２０ｅのうち補給タンク７０側の回転ディスク２０ａ上に遊技媒体５０を供給すると、遊技媒体５０は、その自重と回転ディスクの回転による遠心力とによって、隣設する回転ディスク２０ｂ，２０ｃ，２０ｄ，２０ｅの順に搬送され、かつ周辺に拡散される。これにより遊技媒体５０は、補給シュート６０，６０′を介して各々の遊技機（図示しない）に補給される。
【０００８】
【発明の実施の形態】
以下、本発明の好ましい実施形態を、図面に基づいて説明する。図１は、本発明の実施に係る水平搬送装置を示す平面図である。図２は、発明の実施に係る水平搬送装置の側板を除いた状態の正面図である。図３は、発明の実施に係る水平搬送装置の前板を除いた状態の側面図である。
【０００９】
図１乃至図３に示すように、本発明に係る水平搬送装置１は、列設した遊技機（図示しない）を備えた遊技機島Ａの上部に長手方向に架設された補給樋１０とその内部に配設された複数の回転ディスク２０ａ，２０ｂ，２０ｃ，２０ｄ，２０ｅとこの回転ディスク２０ａ，２０ｂ，２０ｃ，２０ｄ，２０ｅを駆動する駆動装置３０と補給樋１０の開口を覆うカバー４０を備えている。
【００１０】
補給樋１０は、前板１１と後板１２と一対の側板１３，１３′とを有する長矩形の箱形状を成している。そして、一対の側板１３，１３′には、上下の端部を内側に折り曲げて形成したカバー取付部１３１，１３１′と遊技機（図示しない）への取付部１３２，１３２′が形成されている。また、側板１３，１３′の外側上部には、各遊技機（図示しない）に、遊技媒体５０を補給するための補給シュート６０，６０′が適宜取付けられている。７０は、補給タンクであって、水平搬送装置１に遊技媒体５０を供給するために常時、遊技媒体５０を保留している。
【００１１】
また、補給樋１０には、搬送経路２１と駆動装置３０の収納部２２が設けられている。この搬送経路２１は、側板１３，１３′と、その側板１３，１３′の上部に形成されたカバー取付部１３１，１３１′と、そのカバー取付部１３１、１３１′と間隔を空けて側板１３，１３′間に架設された底板２３と、により画成されている。そして、そのカバー取付部１３１，１３１′の上面には、カバー４０が取付けられており、下面には、ガイド８０が配設されている。この底板２３には、複数の回転ディスク２０ａ，２０ｂ，２０ｃ，２０ｄ，２０ｅに対応した円形の嵌合孔２４が形成されている。
【００１２】
回転ディスク２０ａ，２０ｂ，２０ｃ，２０ｄ，２０ｅは、円盤２１と裏面に円盤２１をボルト２２で固定した取付台２３を備え、補給樋１０に形成された嵌合孔２４に嵌合している。この回転ディスク２０ａ，２０ｂ，２０ｃ，２０ｄ，２０ｅの外周と嵌合孔２４の間には、遊技媒体５０が落下しない程度の隙間が設けられている。
【００１３】
駆動装置３０は、モータ３１と減速ギアユニット３２と、この減速ギアユニット３２によって回転数を減速し、回転ディスク２０ａ，２０ｂ，２０ｃ，２０ｄ，２０ｅに回転を与える出力軸３３を備えている。そして、この駆動装置３０は、補給樋１０に設けられている取付板１４にねじ止めされ、収納部２２の内部に収納されている。本実施例では、駆動装置３０を各々の回転ディスク２０ａ，２０ｂ，２０ｃ，２０ｄ，２０ｅ毎に配設し、回転ディスク２０ａを正転（時計回り）させている。そして、隣設する回転ディスク２０ｂは、回転ディスク２０ａと逆回転（反時計回り）するように設定している。即ち，隣設する回転ディスク２０ａと２０ｂ、２０ｂと２０ｃ，２０ｓと２０ｄ，２０ｄと２０ｅが互いに反対方向に回転する。
【００１４】
この駆動装置３０は、特定の回転ディスク２０ａに駆動装置３０を配設し、ギア（図示しない）、ベルト（図示しない）などの伝達機構を用いて他の回転ディスク２０ｂ，２０ｃ，２０ｄ，２０ｅに回転力を伝達してもよい。また、回転ディスク２０ａ，２０ｂ，２０ｃ，２０ｄ，２０ｅを同一方向に回転させても良い。
【００１５】
回転ディスク２０ａ，２０ｂ，２０ｃ，２０ｄ，２０ｅと駆動装置３０との結合構成は、本実施例においては、回転ディスク２０ａ，２０ｂ，２０ｃ，２０ｄ，２０ｅの裏面にボルトで取付けられている取付台２３にキー３４によって結合されているが、この回転ディスク２０ａ，２０ｂ，２０ｃ，２０ｄ，２０ｅに駆動装置３０の出力軸３３を直接圧入固着しても良い。また、回転ディスク２０ａ，２０ｂ，２０ｃ，２０ｄ，２０ｅの中心に噛合孔を形成し、その噛合孔（図示しない）と出力軸３３に形成したギア（図示しない）とを噛合わせることによって、結合しても良い。要するに、回転ディスク２０ａ，２０ｂ，２０ｃ，２０ｄ，２０ｅに駆動装置３０の回転を伝達することができれば良い。
【００１６】
ガイド８０は、高い山８１と低い山８２とを有した平板状を成し、その高い山８１方向の略４５度の範囲から低い山方向の３０度の範囲に渡って円弧曲面で形成している。更に、高い山側端部には、垂直面８３が設けられている。そして、このカバー８０は、隣設する回転ディスク２０ａ，２０ｂ，２０ｃ，２０ｄ，２０ｅの間に山が位置し、且つ垂直面８３が補給シュート６０に対応するように、搬送経路２１を構成するカバー取付部１３１，１３１′の下面に取付けられている。
このガイド８０は、必ず設けなければ成らない構成ではないが、より効率的に遊技媒体５０を搬送するには効果的である。
【００１７】
この様な構成を有する水平搬送装置１の補給樋１０に補給タンク７０に貯留されている遊技媒体５０を供給すると、遊技媒体５０は、その補給樋１０の内部に配設された複数の回転ディスク２０ａ，２０ｂ，２０ｃ，２０ｄ，２０ｅのもつとも上流側（補給タンク７０に近い方）の回転ディスク２０ａ上に転がされる。転がされた遊技媒体５０は、回転ディスク２０ａの遠心力で、ガイド８０の低い山８２側の曲面に沿って斜め上方に搬送され、且つ一部は周囲に拡散される。そして、斜め上方に搬送された遊技媒体５０は、最初の回転ディスク２０ａ，と反対方向に回転している隣設する回転ディスク２０ｂの回転により、回転ディスク２０ｂの上に引き込まれる。このようにして、遊技媒体５０は、順次回転ディスク２０ｃ，２０ｄ，２０ｅと搬送され、補給樋２の下流（補給樋２の出口側）に回収樋９０を経て遊技島台を循環する。この時、回転ディスク２０ａ，２０ｂ，２０ｃ，２０ｄ，２０ｅに対向しているガイド８０の垂直面８３に当接した遊技媒体５０は、垂直面８３をガイドとして、補給シュート６０内に導入される。また、拡散された遊技媒体５０の一部は、補給樋１０のカバー４０や側板１３，１３′に衝突し、跳ね返され各々補給シュート６０に投入されたり、或いは他の回転ディスク２０ｂ，２０ｃ，２０ｄ，２０ｅに送り込まれる。そして、補給シュート６０に投入されずに、残った遊技媒体５０は、補給樋２の下流（補給樋２の出口側）に搬送され回収樋９０を経て遊技島台を循環する。
【００１８】
補給樋１０の下流に搬送された遊技媒体５０は、補給樋１０の下流が閉鎖されている島の場合には、回転ディスク２０ａ、２０ｂ，２０ｃ，２０ｄ，２０ｅの遠心力や自重による押出し力により、再度、補給樋１０の上流へ逆送され、当初の搬送を繰り返す。また、下流が開放されているいわゆる島還流方式の場合には、遊技媒体５０は、遊技機の下方に設けられている回収樋９０、揚送装置（図示しない）を経由して再度補給タンク７０に還流され、当初の搬送を繰り返す。
【００１９】
【発明の効果】
以上のように、本発明によれば、列設した遊技機に補給シュートを介して遊技媒体を補給する水平搬送装置を、遊技機上に架設された補給樋と、補給樋内の長手方向に並設された複数の回転ディスクと、該回転ディスクの駆動装置を備え、遊技機に補給すべき遊技媒体を回転ディスクの回転力により搬送する構成とすることにより、回転ディスクの一部が故障してもカバーを開けてその部分のみ交換するなど、保守点検が容易で、しかも遊技機島の高さを低くするとともに、部品点数が少なく、コスト的に有利な水平搬送装置を提供することができる。
【図面の簡単な説明】
【図１】本発明の実施に係る水平搬送装置を示す平面図である。
【図２】本発明の実施に係る水平搬送装置の側板を除いた状態に正面図である。
【図３】本発明の実施に係る水平搬送装置の前板を除いた状態に側面図である。
【符号の説明】
１…水平搬送装置
１０…補給樋
２０２０ａ、２０ｂ，２０ｃ，２０ｄ，２０ｅ…回転ディスク
２１…搬送経路
３０…駆動装置
４０…カバー
５０…遊技媒体
６０…補給シュート
７０…補給タンク
８０…ガイド
【図１】
2004275670.tif 000003
【図２】
2004275670.tif 000004
【図３】
2004275670.tif 000005